(57)【要約】  無線遠隔制御部からの赤外線信号を受信するためのリード付き部品からなる受光素子１２を搭載した第１の回路基板１０と、受光素子１２の受信結果に基づき、本体制御基板３０を備えた制御装置本体の運転状態を視覚的に表示する面実装部品からなる発光素子２４と、本体制御基板３０の切替を行う面実装部品からなるスイッチ素子２５とを搭載した第２の回路基板２０を備え、第１および第２の回路基板１０，２０が、別基板で構成され、面実装部品とリード付き部品の実装を生産性良く実現する。また、面実装部品とリード付き部品を同一基板上のそれぞれ別のエリアに配置し、エリアの境界に設けられたＶ溝で、基板完成後に分割容易としている。また、それぞれのエリアには、室内機の制御基板と通信を行うためのコネクタもしくはケーブルを設けており、部品が室内機筐体に対して外側に向けて配置することが可能となる。
2016103503.tif 000002
【特許請求の範囲】
【請求項１】
無線遠隔制御部からの赤外線信号を受信するためのリード付き部品からなる受光素子を搭載した第１の回路基板と、
前記受光素子による受信結果に基づき、制御装置本体の運転状態を視覚的に表示する面実装部品からなる発光素子と、
前記制御装置本体の切替を行う面実装部品からなるスイッチ素子と搭載した第２の回路基板を備え、
前記第１および第２の回路基板が、別基板で構成されたことを特徴とする受信装置基板。
【請求項２】
前記第１の回路基板に搭載されたすべての部品が、リード付き部品からなり、
前記第２の回路基板に搭載されたすべての部品が、面実装部品からなること特徴とする請求項１に記載の受信装置基板。
【請求項３】
前記制御装置本体は、空気調和機本体であり、
前記スイッチ素子は、前記無線遠隔制御部を用いることなく、前記空気調和機本体を運転あるいは停止させる素子であること特徴とする請求項１または２に記載の受信装置基板。
【請求項４】
前記第１および第２の回路基板に実装される部品は、筐体外郭に部品を向けるように取り付けられることを特徴とする請求項１から３のいずれか１項に記載の受信装置基板。
【請求項５】
前記第１の回路基板は、リード付き部品からなる第１の通信用コネクタを備え、
前記第２の回路基板は、面実装部品からなる第２の通信用コネクタを備え、
前記第１および第２の通信用コネクタを介して、制御が実施されることを特徴とする請求項１から４のいずれか１項に記載の受信装置基板。
【請求項６】
前記第１の回路基板は、前記無線遠隔制御部からの赤外線信号を受信するための受光素子に加え、
前記無線遠隔制御部からの情報を正常に受信したことを示すための、リード付き部品からなるブザー素子を備え、
前記制御装置本体は、空気調和機本体の制御を行うものであることを特徴とする請求項１から５のいずれか１項に記載の受信装置基板。
【請求項７】
無線遠隔制御部からの赤外線信号を受信する電子部品からなる受光素子と、
受信結果に基づき、制御装置本体の運転状態を視覚的に表示する面実装部品からなる発光素子と、
前記制御装置本体の切替を行う面実装部品からなるスイッチ素子と、複数の電子部品を搭載した受信装置基板を製造する方法であって、
複数の電子部品を、リード部品からなる第１グループと、面実装部品からなる第２グループに分類する工程と、
前記第１グループの前記電子部品を第１の回路基板上に搭載する工程と、
前記第２グループの前記電子部品を、前記第１の回路基板とは別基板からなる第２の回路基板上に搭載する工程と、
前記第１および第２の回路基板を、筐体の外郭を向くように筐体内に設置する工程とを含む受信装置基板の製造方法。
【請求項８】
前記制御装置本体は、空気調和機本体であり、
前記スイッチ素子は、前記無線遠隔制御部以外の制御によって空気調和機を運転あるいは停止させる素子であること特徴とする請求項７に記載の受信装置基板の製造方法。
【請求項９】
前記無線遠隔制御部からの赤外線信号を受信する電子部品からなる受光素子と、
前記受光素子の受信結果に基づき、前記制御装置本体の運転状態を視覚的に表示する面実装部品からなる発光素子と、
前記制御装置本体の切替を行う面実装部品からなるスイッチ素子と、複数の電子部品を搭載した受信装置基板を製造する方法であって、
Ｖ溝を介して分割可能な第１回路部と第２回路部とを備えた回路基板を用意する工程と、
複数の電子部品を、リード付き部品からなる第１グループと、面実装部品からなる第２グループに分類する工程と、
前記第２グループの前記電子部品を、回路基板上に搭載する工程と、
前記回路基板を、前記Ｖ溝を境界として第１回路部を含む第１の回路基板と、第２回路部を含む第２の回路基板とに分割する工程と、
前記第２の回路基板上に前記リード付き部品を搭載する工程と、
前記第１および第２の回路基板を、筐体の外郭を向くように筐体内に設置する工程とを含む受信装置基板の製造方法。
【発明の詳細な説明】
【技術分野】
【０００１】
本発明は、受信装置基板および受信装置基板の製造方法に係り、特に面実装部品とリード付き部品とを混載した受信装置に関する。
【背景技術】
【０００２】
従来、空気調和機においては、無線リモコンなどの遠隔制御部からの操作信号により操作が行われることが多い。このような無線リモコンからの操作信号を受信して、空気調和機本体では操作信号に応じた操作が実行される。このような操作信号の受信に用いられる空気調和機本体の受光部は、無線リモコンから送信される赤外線信号を受信するために、機器の外郭に設置する必要があり、多くは空気調和機本体内で機器の制御を行う基板とは別の基板を使用し、基板間での配線を介して信号を授受している。【０００３】
特許文献１に開示されている空気調和機では、無線受信部以外に、高電圧放電を利用する殺菌集塵装置、あるいは人を検知する人検知機能を有する機能部の搭載された基板の構成についての技術が開示されている。
【先行技術文献】
【特許文献】
【０００４】
【特許文献１】特開２００４−２５１５４５号公報
【発明の概要】
【発明が解決しようとする課題】
【０００５】
特許文献１で示されている空気調和装置など、従来の装置における、無線受信部では、全ての部品をリード付き部品で構成することができる。従って、基板に形成されたリード穴に挿通されたリード端子を裏面側ではんだ接続することで実装できる。リード付き部品には、本体の両側にリード端子が導出されたアキシャル部品、本体の片側にリード端子が導出されたラジアル部品があるがいずれも、最も安価な片面基板を使用することが可能である。また、製造工程についても、フローはんだ付け工程のみで作成することが可能である。また、部品の特性上、部品面に全ての部品が並ぶことで、機器の外郭に部品面を向けて設置すれば、使用者が使用する上で不都合は生じなかった。【０００６】
しかしながら、近年、運転状態を表示する発光ダイオード(ＬＥＤ)あるいは切り替えのためのスイッチなどの機構部品までも面実装化が進み、リード付き部品を入手することが困難となっている。【０００７】
対策として、全ての構成部品を面実装部品に置き換えれば、回路基板は片面基板で構成でき、製造工程もリフローはんだ付けのみとなる。しかしながら、その一方で、無線受信を行うフォトダイオードなどの受光素子あるいは、受信したことを使用者に通知するためのブザーなどの作動音発生装置は、依然としてリード付き部品の方が安価で、入手が容易である。このため、これらの部品を一方の面に実装するためには、リフローはんだ付けとフローはんだ付けを行い、回路基板についても両面基板を使用する必要があった。【０００８】
仮に安価な片面基板に、面実装部品とリード付き部品とを配置し、フローはんだ付けにより基板を作成した場合、発光ダイオードなどの表示部と受光素子、ブザーの取り付け面が異なってしまい、機器として組み込んだときに本来の動作を期待できないという課題が発生する。【０００９】
また、面実装部品とリード付き部品とを混載すると、両面に配線パターンを形成しなければならず、製造作業性が悪く、コストの高騰を招くという問題があった。【００１０】
なお、上記課題は、空気調和機だけでなく、無線リモコンなどの無線遠隔制御部からの操作信号を受信して、制御装置本体で、操作信号に応じた操作が実行されるような制御装置を備えた各種機能装置においても同様であった。【００１１】
本発明は上記に鑑みてなされたもので、製造作業性を向上し、製造コストの低減を図ることの可能な受信装置基板を得ることを目的とする。
【課題を解決するための手段】
【００１２】
上述した課題を解決し、目的を達成するために、本発明に係る受信装置基板は、無線遠隔制御部からの赤外線信号を受信するためのリード付き部品からなる受光素子を搭載した第１の回路基板と、受光素子の受信結果に基づき、制御装置本体の運転状態を視覚的に表示する面実装部品からなる発光素子と、制御装置本体の切替を行う面実装部品からなるスイッチ素子とを搭載した第２の回路基板を備え、第１および第２の回路基板が、別基板で構成されたことを特徴とする。
【発明の効果】
【００１３】
本発明によれば、製造作業性を向上し、製造コストの低減を図ることの可能な受信装置基板を得ることができるという効果を奏する。
【図面の簡単な説明】
【００１４】
【図１】本発明の実施形態１に係る受信装置基板を用いた制御システムの全体構成を示す外観図
【図２】本発明の実施形態１に係る受信装置基板を用いた制御システムの説明図
【図３】本発明の実施形態１に係る受信装置基板の正面図
【図４】本発明の実施形態１に係る受信装置基板の製造方法を示すフローチャート
【図５】本発明の実施形態２に係る受信装置基板を用いた制御システムの概念図
【図６】本発明の実施形態２に係る受信装置基板を用いた制御システムの説明図
【図７】（ａ）から（ｃ）は本発明の実施形態２に係る受信装置基板の製造方法を示す工程図
【図８】本発明の実施形態２に係る受信装置基板の製造方法を示すフローチャート
【発明を実施するための形態】
【００１５】
以下に、本発明の実施の形態に係る受信装置基板および受信装置基板の製造方法を図面に基づいて詳細に説明する。なお、この実施の形態によりこの発明が限定されるものではない。
【００１６】
実施の形態１．
図１は、本発明の実施形態１に係る受信装置基板を用いた制御システムの全体構成を示す外観図である。図２は、同制御システムの説明図である。図１および図２に示すように、本実施の形態１の制御システムは、制御装置本体としての空気調和機の室内機本体１００と、無線遠隔制御部である無線リモコン２００と、無線リモコン２００からの信号を受信し、室内機本体１００を制御する本体制御基板３０へ情報を伝達するためのリモコン受信部１００ａと、を備える。この制御システムでは、無線リモコン２００からの信号をリモコン受信部１００ａで受信し、室内機本体１００を制御する。図３は、リモコン受信部１００ａを構成する受信装置基板の正面図であり、筐体１００ｂに装着され、この正面が室内を向くように配される。
【００１７】
さらに、リモコン受信部１００ａを構成する受信装置基板は、図２および図３に示すように、第１の回路基板１０と第２の回路基板２０とで構成される。第１の回路基板１０には、図示しない配線パターンを形成した第１の配線基板１１の第１の面すなわち表面１１Ａ上にラジアル部品すなわち、一方にリードが導出されたリード付き部品からなるディスクリート素子が搭載されている。一方第２の回路基板２０には、図示しない配線パターンを形成した第２の配線基板２１の第１の面すなわち表面２１Ａ上に面実装部品が搭載されている。第１の回路基板１０を構成する第１の配線基板１１は、リード付き部品を搭載するため、素子を搭載する表面１１Ａの対向面側である第２の面すなわち裏面１１Ｂに配線パターンが形成され、図示しないリード穴に挿通されたリード付き部品のリードを裏面１１Ｂの配線パターンに接続する。一方、第２の回路基板２０を構成する第２の配線基板２１は、面実装部品を搭載するため、素子を搭載する表面２１Ａに形成された配線パターンに面実装され、回路接続がなされる。つまり第１および第２の回路基板はいずれも片面に配線パターンを形成した片面基板で構成される。
【００１８】
すなわち、第１の回路基板１０は、第１の配線基板１１と、第１の配線基板１１上に搭載され、無線リモコンからの信号を受信するフォトダイオードからなる受光素子１２と、無線リモコンから信号が正常に受信されたことを使用者に伝えるための、ブザー素子１３と、を備え、端部に本体制御基板３０との送受信用の第１のコネクタ１６が搭載されている。第２の回路基板２０は、第２の配線基板２１と、第２の配線基板２１上に搭載されたＬＥＤからなる発光素子２４と、無線リモコンを紛失もしくはバッテリーが切れた場合の補助として、運転／停止をさせるスイッチ素子２５と、を備え、端部に本体制御基板３０との送受信用の第２のコネクタ２６が搭載されている。ここで第１のコネクタ１６はリード付き部品、第２のコネクタ２６は、面実装部品で構成される。スイッチ素子２５は、無線リモコンなどの無線遠隔制御部以外の制御で空気調和機を運転あるいは停止させる素子である。
【００１９】
なお、無線リモコンからの信号を受信する受光素子１２、ブザー素子１３、発光素子２４およびスイッチ素子２５は、全てを同時に使用者が容易に確認できる必要があるため、室内機本体１００を構成するユニットの外郭と接している必要がある。
【００２０】
室内機本体を構成する本体制御基板３０は、第３の配線基板３１上に搭載された電源回路３２と制御回路３３と、第３のコネクタ３４とを具備している。そして第１および第２の回路基板１０，２０と、本体制御基板３０との接続は、本体制御基板３０上に搭載された第３のコネクタ３４を介してケーブルによって行われ、電源の供給及び受信した情報の処理は全て室内機の本体制御基板３０によってなされる。なお、ケーブルは、コネクタによるもののほか、ハウジング一体型でもよい。
【００２１】
ここで、本実施の形態の空気調和機は、室内機本体１００を、無線リモコン２００によって運転／停止、運転状態の切換、目標温度の設定並びに運転時間／運転開始・停止時間の設定を行うようにしたものである。室内機本体１００は、リモコン受信部１００ａと本体部を収納する筐体１００ｂで構成される。リモコン受信部１００ａは、運転／停止、運転状態の切換、目標温度の設定並びに運転時間／運転開始・停止時間の設定情報を受信できる受光素子１２と、無線リモコンから信号を正常に受信できたことを使用者に伝えるためのブザー素子１３並びに発光素子２４からなる表示器と、無線リモコン２００を紛失した場合に使用者が直接空気調和機を運転／停止可能なスイッチ素子２５と、室内機本体１００の本体制御基板３０と通信を行うための通信線とを備えている。
【００２２】
機器を構成する部品は、リード付きのアキシャル・ラジアル部品であっても、リードの無い面実装部品であってもよいが、最も低コストとなる組み合わせとする。ここでは、受光素子１２、ブザー素子１３および基板接続用コネクタを構成する第１のコネクタ１６をリード付きの部品としている。
【００２３】
次に、本実施の形態のリモコン受信部１００ａを構成する受信装置基板の製造方法について説明する。本実施の形態では、図４にフローチャートを示すように、複数の電子部品を、リード付き部品からなる第１グループと、面実装部品からなる第２グループに分類し、リード付き部品である第１グループの電子部品を第１の配線基板１１上に搭載し、面実装部品である第２グループの電子部品を第２の配線基板２１上に搭載し、得られた第１および第２の回路基板１０，２０を搭載された各電子部品が筐体の外郭を向くように筐体１００ｂ内に設置する。
【００２４】
まず、リモコン受信部１００ａを構成する受信装置基板の機能設計が決まると、必要な機能を有する電子部品が選択される。
【００２５】
次いで、ステップＳ１０１で、これらの電子部品をリード付き部品からなる第１グループと、面実装部品からなる第２グループに分類する。
【００２６】
こののち、リード付き部品である第１グループの電子部品を搭載する第１の配線基板１１のレイアウトを行い、配線パターンを形成する。このときリード付き部品を搭載する位置に、リード挿通穴と、第１の配線基板１１の裏面１１Ｂ側に、リード付き部品を搭載するための配線パターンを形成する。
【００２７】
また、面実装部品である第２グループの電子部品を搭載する第２の配線基板２１のレイアウトを行い、面実装部品を搭載する、表面２１Ａ側に配線パターンを形成する。ここで用いる配線基板は、最も低コストである片面基板とするため、面実装部品は、はんだ付けを行うはんだ面に、リード付き部品ははんだ付けを行わない部品面にそれぞれ部品を配置する。
【００２８】
そしてステップＳ１０２で、第１の配線基板１１の表面１１Ａ側から、受光素子１２、ブザー素子１３および第１のコネクタ１６のリードを、リード挿通穴に通し、裏面１１Ｂに形成された配線パターンにはんだを用いてフロー接続する。
【００２９】
そしてステップＳ１０３で、第２の配線基板２１の表面２１Ａ側の配線パターン上に、発光素子２４、スイッチ素子２５、第２のコネクタ２６の端子を載せ、はんだリフローを行い、接続する。
【００３０】
こののち、第１および第２のコネクタ１６，２６と、本体制御基板３０の第３のコネクタ３４との間をケーブル接続する。本体制御基板３０は、第３の配線基板３１上に電源回路３２、制御回路３３および第３のコネクタ３４があらかじめ実装されているものとする。
【００３１】
そしてステップ１０４で、得られた第１および第２の回路基板１０，２０を筐体の外郭を向くように筐体１００ｂ内に設置する。
【００３２】
かかる方法によれば、受信装置基板が、リード付き部品からなる第１の回路基板１０と、面実装部品からなる第２の回路基板２０とに分けられているため、汎用の電子部品を用いて、極めて容易に実装可能である。また、２枚の回路基板に分割されているため、外郭を向くように配置するのが容易である。さらにまた安価な片面基板を用いることができるため、配線層を有する基板をパターニングし第１および第２の配線パターンを形成する工程も容易である。さらに第１の回路基板１０の形成は、はんだを用いたフロー工程のみで実装できる一方、第２の回路基板２０の形成は、はんだリフロー工程のみで実装できるため、実装がきわめて容易である。さらにまた第１および第２の回路基板１０，２０が分割構造であるため、それぞれ最適な方向に配置することができ、最大限に機能を発揮する構成とすることができる。
【００３３】
なお、前記実施の形態では、第１の回路基板１０上に受光素子１２、ブザー素子１３を搭載するとともに、第２の回路基板２０上に発光素子２４、スイッチ素子２５を搭載したが、これに限定されるものではない。すなわち、第１の回路基板１０上にリード付き部品、第２の回路基板２０上に面実装部品が配されるというように、基板毎にリード付き部品と面実装部品とが分かれるようにレイアウトすればよく、回路構成に応じて適切な部品を汎用型部品から選択することができる。従って、回路設計が簡単でかつ製造作業性がよく、低コストの受総装置基板を得ることができる。
【００３４】
なお前記実施の形態では、２枚の配線基板を用いて形成したが、Ｖ溝を形成した１枚の配線基板を用い、Ｖ溝を隔ててリード付き部品、面実装部品を分類して実装した後、配線基板をＶ溝で分割し、筐体１００ｂに設置してもよい。この場合は、リード付き部品をフロー工程で実装後、フロー温度よりも低温でリフロー工程を実施し、面実装部品を実装するのが望ましい。
【００３５】
実施の形態２．
図５および図６は、本発明の実施の形態２に係る受信装置基板を用いた制御システムの概念図および説明図である。図７（ａ）から（ｃ）は同受信装置基板の製造方法を示す工程図である。図８は同受信装置基板の製造方法を示すフローチャートである。本実施の形態２の制御システムは、システム自体は図１を用いて前記実施の形態１で説明したのと同様、制御装置本体としての空気調和機の室内機本体１００と、無線遠隔制御部である無線リモコン２００と、無線リモコン２００からの信号を受信し、室内機本体１００の本体制御基板３０へ情報を伝達するためのリモコン受信部１００ａと、を備える。本実施の形態においても、リモコン受信部１００ａを構成する受信装置基板の正面が室内を向くように配される。
【００３６】
さらに、リモコン受信部１００ａを構成する受信装置基板は、本実施の形態においても図５および図６に示すように、第１の回路基板１０Ｓと第２の回路基板２０Ｓとで構成される。実施の形態１と異なるのは、第１の回路基板１０Ｓにも第２の回路基板２０Ｓにも、リード付き部品と面実装部品とが混載されている点である。そして、第１回路部および第２回路部を構成する第１および第２の配線基板１１，２１は、あらかじめＶ溝５０を形成した１枚の配線基板Ｓで構成し、部品実装後にＶ溝５０で分割される。そして第１の回路基板を構成する第１の回路基板１０Ｓを構成する第１の配線基板１１および第２の回路基板２０Ｓを構成する第２の配線基板２１にはリード付き部品と面実装部品が混載されているため、いずれも両面に配線パターンが形成されている。
【００３７】
すなわち、第１の回路基板１０Ｓは、第１の配線基板１１と、第１の配線基板１１上に搭載され、リード付き部品である無線リモコンからの信号を受信するフォトダイオードからなる受光素子１２と、第１のコネクタ１６と、面実装部品である、ＬＥＤからなる発光素子１４と、無線リモコンを紛失もしくはバッテリーが切れた場合の補助として、運転／停止をさせる面実装部品である、スイッチ素子１５とが搭載されている。一方、第２の回路基板２０Ｓは、第２の配線基板２１と、第２の配線基板２１上に搭載され、無線リモコンから信号が正常に受信されたことを使用者に伝えるための、リード付き部品からなるブザー素子２３を備え、端部に本体制御基板３０との送受信用の第２のコネクタ２６が搭載されている。ここで第１のコネクタ１６はリード付き部品、第２のコネクタ２６は、面実装部品で構成される。
【００３８】
なお、無線リモコンからの信号を受信する受光素子１２、ブザー素子２３、発光素子１４およびスイッチ素子１５は、全てを同時に使用者が容易に確認できる必要があるため、室内機本体１００を構成するユニットの外郭と接し、第１および第２の回路基板１０Ｓ，２０Ｓを所望の方向に向けて設置される。
【００３９】
室内機本体を構成する本体制御基板３０は、前記実施の形態１と同様であり、第３の配線基板３１上に搭載された電源回路３２と制御回路３３と、第３のコネクタ３４とを具備している。そして第１および第２の回路基板１０Ｓ，２０Ｓと、本体制御基板３０との接続は、本体制御基板３０上に搭載された第３のコネクタ３４を介してケーブルにより第１および第２のコネクタ１６，２６との間で行われ、電源の供給及び受信した情報の処理は全て室内機の本体制御基板３０によってなされる。なお、本実施の形態においてもケーブルは、コネクタによるもののほか、ハウジング一体型でもよい。
【００４０】
次に、本実施の形態のリモコン受信部１００ａを構成する受信装置基板の製造方法について説明する。本実施の形態では、図８にフローチャートを示すように、Ｖ溝５０を有する回路基板を用意し、複数の電子部品を、リード部品からなる第１グループと、面実装部品からなる第２グループに分類し、リード部品である第１グループの電子部品をまず、配線基板Ｓ上に搭載し、こののち面実装部品である第２グループの電子部品を配線基板Ｓ上に搭載し一括リフロー工程を経て、部品接続を行った後、Ｖ溝５０に沿って、第１および第２の回路基板１０Ｓ，２０Ｓに分割するようにしたことを特徴とするものである。こののち、得られた第１および第２の回路基板１０Ｓ，２０Ｓを筐体の外郭を向くように筐体１００ｂ内に設置する。
【００４１】
まず、リモコン受信部１００ａを構成する受信装置基板の機能設計が決まると、必要な機能を有する電子部品が選択される。まず、図７（ａ）に示すように、ステップＳ２００でＶ溝５０を備えた配線基板Ｓを用意する。そしてステップＳ２０１で、これらの電子部品をリード部品からなる第１グループと、面実装部品からなる第２グループに分類する。
【００４２】
こののち、第１および第２の配線基板１１、２１のレイアウトを行い、配線パターンを形成する。このときリード付き部品を搭載する位置に、リード挿通穴と、第１および第２の配線基板１１，２１の裏面１１Ｂ，２１Ｂ側に、リード付き部品を搭載するための配線パターンを形成する。
【００４３】
また、面実装部品である第２グループの電子部品を搭載する位置に、面実装部品を搭載する、表面１１Ａ，２１Ａ側に配線パターンを形成する。
【００４４】
そして、図７（ｂ）に示すように、ステップＳ２０２で、配線基板Ｓにリード付き部品を搭載する。ここでは第１の配線基板１１に相当する領域の表面１１Ａ側から、受光素子１２，第１のコネクタ１６のリードを、第２の配線基板２１に相当する領域の表面２１Ａ側から、ブザー素子２３のリードを、リード挿通穴に通し、裏面１１Ｂ、２１Ｂに形成された配線パターンにはんだを用いてフロー接続する。
【００４５】
最後に、図７（ｃ）に示すように、ステップＳ２０３で、配線基板Ｓに面実装部品を搭載する。ここでは第１の配線基板１１に相当する領域の表面１１Ａ側の配線パターン上に、発光素子１４、スイッチ素子１５、第２の配線基板２１に相当する領域の表面２１Ａ側の配線パターン上に第２のコネクタ２６の端子を載せ、はんだリフローを行い、接続する。
【００４６】
そしてステップＳ２０４で、Ｖ溝５０に沿って切断することにより、Ｖ溝５０を境界として第１および第２の回路基板１０Ｓ，２０Ｓに分割する。
【００４７】
こののち、第１および第２のコネクタ１６，２６と、本体制御基板３０の第３のコネクタ３４との間をケーブル接続する。本実施の形態においても、本体制御基板３０は、第３の配線基板３１上に電源回路３２、制御回路３３および第３のコネクタ３４があらかじめ実装されているものとする。
【００４８】
そしてステップ２０５で、得られた第１および第２の回路基板１０Ｓ，２０Ｓを筐体の外郭を向くように筐体１００ｂ内に設置し、図６に示した、受信装置基板を有する制御システムを得ることができる。
【００４９】
配線基板は、低コスト化のため、面実装部品は、はんだ付けを行うはんだ面に、リード付き部品ははんだ付けを行わない部品面にそれぞれ部品を配置するように配線パターンを形成する。さらに、リード付き部品と面実装部品をエリア分けし、それぞれのエリア毎に通信用コネクタである第１および第２のコネクタ１６，２６を配置、エリア境界に基板分割用のＶ溝５０を設ける。そして部品実装後にＶ溝５０に沿って基板を分割する。
【００５０】
部品実装・はんだ付け工程において、面実装部品のランドパターン及びリード付き部品のランドパターンに同時にはんだペーストを印刷する。ステップＳ２０２においては、挿入機によってリード付き部品を実装する。ステップＳ２０３においては、マウンタによって面実装部品を実装する。ステップＳ２０３において、リフロー炉に基板を通すことで、リード付き及び面実装部品を同時にはんだ付けする。ステップＳ２０４において、Ｖ溝５０に沿って基板を分割し、各部品のうち、受光素子、発光素子、スイッチ素子、ブザー素子を空気調和機の外郭に向くよう取り付ける。そして最後に、空気調和機本体の本体制御基板３０とケーブルで接続し、無線受信機として機能させる。
【００５１】
かかる方法によれば、１枚の回路基板を用いて、リード付き部品を搭載した後、面実装部品を搭載し、最後に分割しているため、実装作業性が良好である。またリフロー工程は２枚分一括で実行でき、２分割基板でありながら１枚基板と同様の実装工程ですむ。さらにまた第１および第２の回路基板１０Ｓ，２０Ｓが分割構造であるため、それぞれ最適な方向に配置することができ、最大限に機能を発揮する構成とすることができる。また安価な片面基板を用いるわけにはいかないが、１枚の基板で、表面および裏面の配線パターンを形成することができるため、配線パターンを形成する工程も工数の増大なしに、分割基板を得ることができる。また筐体１００ｂ内に設置する際にも、２枚の回路基板を筐体１００ｂの外郭を向くように容易に設置することができる。
【００５２】
以上説明してきたように、本実施の形態１，２の制御システムによれば、２枚の回路基板の分割構造で、かつ面実装部品とリード付き部品が分類により一括装着できるようになっており、実装作業性がきわめて良好である。
【００５３】
以上の如く、本発明によれば、全ての電子部品を、面実装部品もしくはリード付きのアキシャル・ラジアル部品に統一しなくても、同一面に部品を揃えることが可能となり、コスト・入手性により最適な部品を使用することが可能となる。
【００５４】
なお、前記実施の形態１，２では空気調和機について説明したが、空気調和機に限定されることなく、無線リモコン付き照明器具など、種々の機能装置に適用可能であることはいうまでもない。
【００５５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５６】
１０，１０Ｓ  第１の回路基板、１１  第１の配線基板、１１Ａ，２１Ａ  表面、１１Ｂ，２１Ｂ  裏面、１２  受光素子、１３，２３  ブザー素子、１４，２４  発光素子、１５，２５  スイッチ素子、１６  第１のコネクタ、２０，２０Ｓ  第２の回路基板、２１  第２の配線基板、２６  第２のコネクタ、３０  本体制御基板、３１  第３の配線基板、３２  電源回路、３３  制御回路、３４  第３のコネクタ、５０  Ｖ溝、１００  室内機本体、１００ａ  リモコン受信部、１００ｂ  筐体、２００  無線リモコン。
【図１】
2016103503.tif 000003
【図２】
2016103503.tif 000004
【図３】
2016103503.tif 000005
【図４】
2016103503.tif 000006
【図５】
2016103503.tif 000007
【図６】
2016103503.tif 000008
【図７】
2016103503.tif 000009
【図８】
2016103503.tif 000010
【国際調査報告】
2016103503.tif 000011
2016103503.tif 000012
2016103503.tif 000013
2016103503.tif 000014